(57)【要約】【課題】本発明は、液位を検出するために外部に大がかりな演算装置を設けることなく、容易に液位を検出することができる液位センサを提供することを目的とするものである。【解決手段】本発明の液位センサは、ＲＳフリップフロップ３９の第１の出力信号を出力がオープンコレクタ構成である第１の素子４８を介して第１の固定抵抗３１ａと第１の検出電極２２との間の中点に接続し、かつこのＲＳフリップフロップ３９の第２の出力信号を出力がオープンコレクタ構成である第２の素子４９を介して第２の固定抵抗３１ｂと第２の検出電極２５との間の中点に接続したものである。【選択図】図５
2009092629.tif 000002
【特許請求の範囲】
【請求項１】
一端が第１の電位と接続されるとともに他端が第１の固定抵抗を介して第２の電位と電気的に接続された第１の検出電極と、一端が第１の電位と接続されるとともに他端が第２の固定抵抗を介して第２の電位と電気的に接続された第２の検出電極と、前記第１の固定抵抗と第１の検出電極との中点電位が入力されるとともにその中点電位を閾値と比較する第１の比較手段と、前記第２の固定抵抗と第２の検出電極との中点電位が入力されるとともにその中点電位を閾値と比較する第２の比較手段と、前記第１の比較手段と第２の比較手段の出力信号を入力するＲＳフリップフロップとを備え、前記ＲＳフリップフロップの第１の出力信号を出力がオープンコレクタ構成である第１の素子を介して第１の固定抵抗と第１の検出電極との間の中点に接続し、かつこのＲＳフリップフロップの第２の出力信号を出力がオープンコレクタ構成である第２の素子を介して第２の固定抵抗と第２の検出電極との間の中点に接続した液位センサ。
【請求項２】
第１の検出電極および第２の検出電極を平面上にパターン形成された平面コンデンサで構成した請求項１記載の液位センサ。
【請求項３】
一端が第１の電位と接続されるとともに他端が第１の固定抵抗を介して第２の電位と電気的に接続された検出電極と、一端が第１の電位と接続されるとともに他端が第２の固定抵抗を介して第２の電位と電気的に接続されたチップコンデンサと、前記第１の固定抵抗と検出電極との中点電位が入力されるとともにその中点電位を閾値と比較する第１の比較手段と、前記第２の固定抵抗とチップコンデンサとの中点電位が入力されるとともにその中点電位を閾値と比較する第２の比較手段と、前記第１の比較手段と第２の比較手段の出力信号を入力するＲＳフリップフロップとを備え、前記ＲＳフリップフロップの第１の出力信号を出力がオープンコレクタ構成である第１の素子を介して第１の固定抵抗と検出電極との間の中点に接続し、かつこのＲＳフリップフロップの第２の出力信号を出力がオープンコレクタ構成である第２の素子を介して第２の固定抵抗とチップコンデンサとの間の中点に接続した液位センサ。
【発明の詳細な説明】
【技術分野】
【０００１】
本発明は、自動車、建築機械、航空機等のエンジンオイル、ギアオイル、トルコンオイル、ＣＶＴオイル、ブレーキオイル等、種々のオイルの液位を検出する液位センサに関するものである。
【背景技術】
【０００２】
従来のこの種の液位センサは、図９に示すような構成を有していた。
【０００３】
図９において、１は検出素子で、この検出素子１には、所定の間隔を設けるように配置された櫛歯形状の一対の液位を検出する第１の検出電極２を上方から下方にわたって設けている。また、前記第１の検出電極２の上端には第１の接続部３を設けている。そしてまた、前記検出素子１には、前記第１の検出電極２のさらに下方に位置して、互いに所定の間隔を設けるように配置された櫛歯形状の一対の液質を検出する第２の検出電極４を設けており、そしてこの第２の検出電極４は、被測定液の誘電率のみに依存する出力信号を第２の接続部５を介して外部に出力するものである。
【０００４】
以上のように構成された従来の液位センサについて、次にその動作を説明する。
【０００５】
液位センサを液位を測定するオイルパン（図示せず）に浸漬した状態において、第２の検出電極４により、被測定液の液質に応じた誘電率を測定して外部に設けられた演算装置（図示せず）に記憶する。次に、第１の検出電極２により、被測定液の液位に応じた誘電率の変化を測定して、第２の検出電極４の出力信号と比較して演算することにより、オイルパン（図示せず）に浸漬した被測定液の液位を測定するものであった。
【０００６】
なお、この出願の発明に関する先行技術文献情報としては、例えば、特許文献１が知られている。
【特許文献１】特開昭６３−７９０１６号公報
【発明の開示】
【発明が解決しようとする課題】
【０００７】
しかしながら、上記した従来の液位センサにおいては、第２の検出電極４により被測定液の液質に応じた誘電率を測定して外部に設けられた演算装置（図示せず）に記憶した後、第１の検出電極２により、被測定液の液位に応じた誘電率の変化を測定して、第２の検出電極４の出力信号と比較して演算することにより、液位を検出しているため、外部に設けられた演算装置（図示せず）が大がかりになってしまうという課題を有していた。
【０００８】
本発明は上記従来の課題を解決するもので、液位を検出するために外部が大がかりな演算装置を設けることなく、容易に液位を検出することができる液位センサを提供することを目的とするものである。
【課題を解決するための手段】
【０００９】
上記目的を達成するために、本発明は以下の構成を有するものである。
【００１０】
本発明の請求項１に記載の発明は、一端が第１の電位と接続されるとともに他端が第１の固定抵抗を介して第２の電位と電気的に接続された第１の検出電極と、一端が第１の電位と接続されるとともに他端が第２の固定抵抗を介して第２の電位と電気的に接続された第２の検出電極と、前記第１の固定抵抗と第１の検出電極との中点電位が入力されるとともにその中点電位を閾値と比較する第１の比較手段と、前記第２の固定抵抗と第２の検出電極との中点電位が入力されるとともにその中点電位を閾値と比較する第２の比較手段と、前記第１の比較手段と第２の比較手段の出力信号を入力するＲＳフリップフロップとを備え、前記ＲＳフリップフロップの第１の出力信号を出力がオープンコレクタ構成である第１の素子を介して第１の固定抵抗と第１の検出電極との間の中点に接続し、かつこのＲＳフリップフロップの第２の出力信号を出力がオープンコレクタ構成である第２の素子を介して第２の固定抵抗と第２の検出電極との間の中点に接続したもので、この構成によれば、ＲＳフリップフロップの第１の出力信号を出力がオープンコレクタ構成である第１の素子を介して第１の固定抵抗と第１の検出電極との間の中点に接続し、かつこのＲＳフリップフロップの第２の出力信号を出力がオープンコレクタ構成である第２の素子を介して第２の固定抵抗と第２の検出電極との間の中点に接続しているため、ＲＳフリップフロップからの第１の出力信号により、第１の検出電極が充電される時間を測定するとともに、ＲＳフリップフロップからの第２の出力信号により、第２の検出電極が充電される時間を測定することになり、これにより、第１の検出電極と第２の検出電極のうちのいずれか一方で被測定液の液質を測定し、かつ他方で被測定液の液位を測定することができるため、外部に大がかりな演算装置を設けなくても、容易に液位を検出することができるという作用効果を有するものである。
【００１１】
本発明の請求項２に記載の発明は、特に、第１の検出電極および第２の検出電極を平面上にパターン形成された平面コンデンサで構成したもので、この構成によれば、第１の検出電極および第２の検出電極を構成する平面コンデンサが検出素子に厚膜印刷をするだけで形成できるため、容易に液位センサを形成することができるという作用効果を有するものである。
【００１２】
本発明の請求項３に記載の発明は、一端が第１の電位と接続されるとともに他端が第１の固定抵抗を介して第２の電位と電気的に接続された検出電極と、一端が第１の電位と接続されるとともに他端が第２の固定抵抗を介して第２の電位と電気的に接続されたチップコンデンサと、前記第１の固定抵抗と検出電極との中点電位が入力されるとともにその中点電位を閾値と比較する第１の比較手段と、前記第２の固定抵抗とチップコンデンサとの中点電位が入力されるとともにその中点電位を閾値と比較する第２の比較手段と、前記第１の比較手段と第２の比較手段の出力信号を入力するＲＳフリップフロップとを備え、前記ＲＳフリップフロップの第１の出力信号を出力がオープンコレクタ構成である第１の素子を介して第１の固定抵抗と検出電極との間の中点に接続し、かつこのＲＳフリップフロップの第２の出力信号を出力がオープンコレクタ構成である第２の素子を介して第２の固定抵抗とチップコンデンサとの間の中点に接続したもので、この構成によれば、ＲＳフリップフロップの第１の出力信号を出力がオープンコレクタ構成である第１の素子を介して第１の固定抵抗と第１の検出電極との間の中点に接続するとともに、ＲＳフリップフロップの第２の出力信号を出力がオープンコレクタ構成である第２の素子を介して第２の固定抵抗とチップコンデンサとの間の中点に接続しているため、ＲＳフリップフロップからの第１の出力信号により、第１の検出電極が充電される時間を測定するとともに、ＲＳフリップフロップからの第２の出力信号により、チップコンデンサが充電される時間を測定することになり、これにより、チップコンデンサで被測定液の液質を規定し、かつ第１の検出電極で被測定液の液位を測定することができるため、外部に大がかりな演算装置を設けなくても、容易に液位を検出することができるという作用効果を有するものである。
【発明の効果】
【００１３】
以上のように本発明の液位センサは、一端が第１の電位と接続されるとともに他端が第１の固定抵抗を介して第２の電位と電気的に接続された第１の検出電極と、一端が第１の電位と接続されるとともに他端が第２の固定抵抗を介して第２の電位と電気的に接続された第２の検出電極と、前記第１の固定抵抗と第１の検出電極との中点電位が入力されるとともにその中点電位を閾値と比較する第１の比較手段と、前記第２の固定抵抗と第２の検出電極との中点電位が入力されるとともにその中点電位を閾値と比較する第２の比較手段と、前記第１の比較手段と第２の比較手段の出力信号を入力するＲＳフリップフロップとを備え、前記ＲＳフリップフロップの第１の出力信号を出力がオープンコレクタ構成である第１の素子を介して第１の固定抵抗と第１の検出電極との間の中点に接続し、かつこのＲＳフリップフロップの第２の出力信号を出力がオープンコレクタ構成である第２の素子を介して第２の固定抵抗と第２の検出電極との間の中点に接続しているため、ＲＳフリップフロップからの第１の出力信号により、第１の検出電極が充電される時間を測定するとともに、ＲＳフリップフロップからの第２の出力信号により、第２の検出電極が充電される時間を測定することになり、これにより、第１の検出電極と第２の検出電極のうちのいずれか一方で被測定液の液質を測定し、かつ他方で被測定液の液位を測定することができるため、外部に大がかりな演算装置を設けなくても、容易に液位を検出することができるという優れた効果を奏するものである。
【発明を実施するための最良の形態】
【００１４】
以下、本発明の一実施の形態における液位センサについて、図面を参照しながら説明する。
【００１５】
図１は本発明の一実施の形態における液位センサの斜視図、図２は同液位センサの側断面図、図３は同液位センサにおける検出素子の上面図、図４は同液位センサにおける検出素子と回路基板とを接続する状態を示す側断面図、図５は同液位センサの回路図である。
【００１６】
図１〜図５において、２１はポリイミドフィルムからなる検出素子で、この検出素子２１には、図３に示すように、互いに０．５ｍｍの間隔を設けるように配置された櫛歯形状のカーボンからなる一対の液位を検出する第１の検出電極２２を上方から下方にわたって設けている。また、前記第１の検出電極２２の両端には、延出部２３を介して第１の接続部２４を設けている。そしてまた、前記検出素子２１には、前記第１の検出電極２２のさらに下方に位置して、互いに０．５ｍｍの間隔を設けるように配置された櫛歯形状のカーボンからなる一対の液質を検出する第２の検出電極２５を設けている。また、前記第２の検出電極２５の両端には、延出部２６を介して第２の接続部２７を設けている。
【００１７】
２８は回路基板で、この回路基板２８には、図４に示すように、下端に位置して接続電極２９を設けており、そしてこの接続電極２９をはんだにより前記検出素子２１における第１の接続部２４および第２の接続部２７と電気的に接続している。また、前記回路基板２８にはＩＣ３０、第１の固定抵抗３１ａ、第２の固定抵抗３１ｂおよび閾値発生手段３２を設けており、そしてこの閾値発生手段３２は第３の固定抵抗３３および第４の固定抵抗３４で構成されている。そしてまた、前記第１の固定抵抗３１ａ、第２の固定抵抗３１ｂおよび第３の固定抵抗３３の一端側を５Ｖの電源電極からなる第２の電位３５に接続するとともに、第１の検出電極２２、第２の検出電極２５および第４の固定抵抗３４の他端側をＧＮＤ電極からなる第１の電位３６と電気的に接続している。また、前記ＩＣ３０は、コンパレータからなる第１の比較手段３７、第２の比較手段３８、ＲＳフリップフロップ３９、第１の素子４８および第２の素子４９とにより構成されている。そしてまた、前記ＩＣ３０における第１の比較手段３７は、前記第１の固定抵抗３１ａと第１の検出電極２２との間の中点電位と、閾値発生手段３２における第３の固定抵抗３３および第４の固定抵抗３４の中点電位とを比較しているものである。また、前記ＩＣ３０における第２の比較手段３８は、前記第２の固定抵抗３１ｂと第２の検出電極２５との間の中点電位と、閾値発生手段３２における第３の固定抵抗３３および第４の固定抵抗３４の中点電位とを比較しているものである。そしてまた、前記ＩＣ３０におけるＲＳフリップフロップ３９は、第１の入力部４０、第１の内部入力部４１および第１の出力部４２を設けた第１のＮＯＲ４３と、第２の入力部４４、第２の内部入力部４５および第２の出力部４６を設けた第２のＮＯＲ４７とで構成されており、そして前記第１のＮＯＲ４３における第１の入力部４０に第１の比較手段３７における出力信号を入力するとともに、第２のＮＯＲ４７における第２の入力部４４に第２の比較手段３８における出力信号を入力しているものである。さらに、前記ＲＳフリップフロップ３９の第１のＮＯＲ４３における第１の出力信号は、オープンコレクタ構成である第１の素子４８を介して第１の固定抵抗３１ａと第１の検出電極２２との間の中点電位に入力されるとともに外部に出力されるものである。
【００１８】
また、前記第１のＮＯＲ４３における第１の出力部４２からの第１の出力信号は、第２のＮＯＲ４７における第２の内部入力部４５に入力されており、かつこれと同様に、第２のＮＯＲ４７における第２の出力部４６からの第２の出力信号は、第１のＮＯＲ４３における第１の内部入力部４１に入力されているものである。また、前記ＲＳフリップフロップ３９の第２のＮＯＲ４７における第２の出力部４６からの出力信号は、オープンコレクタ構成である第２の素子４９を介して第２の固定抵抗３１ｂと第２の検出電極２５との間の中点電位に入力されている。
【００１９】
５０は反転回路で、この反転回路５０はＲＳフリップフロップ３９からの出力信号を反転させているものである。５１はケースで、このケース５１は前記検出素子２１および回路基板２８を内側に収納している。５２は押さえバネで、この押さえバネ５２は前記ケース５１の内側に収納されるとともに、図４に示すように、検出素子２１における第１の接続部２４および第２の接続部２７を回路基板２８における接続電極２９に圧接させているものである。
【００２０】
以上のように構成された本発明の一実施の形態における液位センサにおいて、次に、その組立方法を説明する。
【００２１】
まず、ポリイミド製の検出素子２１に厚膜印刷工法によりＡｇペーストを印刷した後、約２５０℃で約２時間焼成することにより、検出素子２１の上面に第１の検出電極２２、延出部２３、第１の接続部２４、第２の検出電極２５、延出部２６および第２の接続部２７を形成する。この場合、第１の検出電極２２および第２の検出電極２５は平面上にパターン形成された平面コンデンサで構成しているもので、このような構成にすれば、平面コンデンサは検出素子２１に厚膜印刷をするだけで形成できるため、容易に液位センサを形成することができるものである。
【００２２】
次に、予め、ＩＣ３０、第１の固定抵抗３１ａ、第２の固定抵抗３１ｂおよび閾値発生手段３２を実装した回路基板２８における接続電極２９を検出素子２１における第１の接続部２４および第２の接続部２７にはんだ付けする。
【００２３】
最後に、前記回路基板２８および検出素子２１をケース５１に収納した後、回路基板２８と検出素子２１とのはんだ付け部の機械的な接続を補強するように、押さえバネ５２をケース５１の内側に装着する。
【００２４】
以上のようにして組み立てられた本発明の一実施の形態における液位センサについて、次に、その動作を説明する。
【００２５】
図６に示すように、液位センサをオイルパン４４に設置した後、オイルパン４４にエンジンオイル５３を充填する。この液位センサにおける一対の第１の検出電極２２間は、簡易コンデンサを構成しているため、第１の検出電極２２間は、（数１）に示す式で表される。
【００２６】
【数１】
2009092629.tif 000003
【００２７】
上記した本発明の一実施の形態における液位センサにおいて、まず、オイルパンに満たされたエンジンオイル５３の液位を検出する原理を説明する。
【００２８】
エンジンオイル５３の初期状態における誘電率は２．１５である。一方、ポリイミドからなる検出素子２１の誘電率は３．５であるため、エンジンオイル５３にエンジンオイルが満タンに満たされた状態において、検出素子２１に結合された第１の検出電極２２および第２の検出電極２５間に発生する誘電率は５．６５となる。
【００２９】
そして、本発明の一実施の形態における液位センサは、電源投入直後の初期状態においては、図７（ａ）に示すように、第１のＮＯＲ４３における第１の入力部４０および第１の内部入力部４１はローであるため、第１の出力部４２はハイであり、一方、第２の入力部４４はローであり、かつ第２の内部入力部４５はハイであるため、第２の出力部４６はローとなる。そうすると、第１の素子４８はオープンコレクタを構成しているため、第１の固定抵抗３１ａおよび第１の検出電極２２から構成されるＣＲ回路は図８（ａ）に示すように充電される。そして、この充電により、第１の固定抵抗３１ａと第１の検出電極２２との間の中点電位が閾値発生手段３２における第３の固定抵抗３３と第４の固定抵抗３４との間の中点電位により発生する閾値よりも大きくなると、図７（ｂ）に示すように、第１の比較手段３７の出力信号がハイになり、かつ第１のＮＯＲ４３の第１の出力信号がローとなる。そうすると、第１の検出電極２２の電荷が放電される。また、第１のＮＯＲ４３の第１の出力信号ローが第２のＮＯＲ４７における第２の内部入力部４５に入力されると、第２のＮＯＲ４７の第２の出力信号がハイとなる。そのため、図８（ｂ）に示すように、オープンコレクタを構成する第２の素子４９により、第２の固定抵抗３１ｂおよび第２の検出電極２５とによりＣＲ回路を構成する第２の検出電極２５が充電される。そしてこれと同様に、図７（ｃ）に示すように、第２の固定抵抗３１ｂと第２の検出電極２５との間の中点電位が、閾値発生手段３２から発生されている閾値を超えると、第２の比較手段３８からの出力信号がハイとなり、かつ第２のＮＯＲ４７からの出力信号がローとなるため、第２の検出電極２５の電荷が放電される。また、第１のＮＯＲ４３における第１の内部入力部４１がローとなるため、第１の出力部４２がハイとなり、そして第１の素子４８を介して第１の検出電極２２が充電される。以上の動作を繰り返すことにより、ＲＳフリップフロップ３９から出力される信号である第１のＮＯＲ４３における第１の出力部４２から出力される出力信号は、図８（ｃ）のようになる。そして、この第１の出力部４２からの出力信号を反転回路５０によって反転させることにより、図８（ｄ）に示すような矩形波からなる出力信号をエンジンオイル５３の液位として出力するものである。
【００３０】
このとき、オイルパン４４におけるエンジンオイル５３の液位が減少するに従い第１の検出電極２２の空気と接する面積は大きくなる。空気の誘電率は１であるから、第１の検出電極２２は、（数２）に示す式により早期に充電することとなり、出力信号から出力されるローの時間が短くなる。
【００３１】
【数２】
2009092629.tif 000004
【００３２】
従って、（数３）に示すＤＵＴＹは、エンジンオイル５３の液位が減少するに従い小さくなるため、液位センサから出力される矩形波信号のＤＵＴＹを算出することにより、エンジンオイル５３の液位を検出することができるものである。
【００３３】
【数３】
2009092629.tif 000005
【００３４】
上記した本発明の一実施の形態における液位センサにおいては、ＲＳフリップフロップ３９の第１の出力信号を出力がオープンコレクタ構成である第１の素子４８を介して第１の固定抵抗３１ａと第１の検出電極２２との間の中点に接続し、かつこのＲＳフリップフロップ３９の第２の出力信号を出力がオープンコレクタ構成である第２の素子４９を介して第２の固定抵抗３１ｂと第２の検出電極２５との間の中点に接続しているため、ＲＳフリップフロップ３９からの第１の出力信号により、第１の検出電極２２が充電される時間を測定するとともに、ＲＳフリップフロップ３９からの第２の出力信号により、第２の検出電極２５が充電される時間を測定することになり、これにより、第２の検出電極２５で被測定液の液質を測定し、かつ第１の検出電極で被測定液の液位を測定することができるため、外部に大がかりな演算装置を設けなくても、容易に液位を検出することができるものである。
【００３５】
また、上記本発明の一実施の形態における液位センサにおいて、オイルパン４４を装着した自動車が２万ｋｍ走行し、そしてエンジンオイル５３に不純物が混入し、その誘電率が初期値の２．１５から耐久後の２．５に変化する場合を考えて見ると、第１の検出電極２２および第２の検出電極２５の双方ともが、閾値発生手段３２による閾値に到達するまでの時間が長くなる。すなわち、液位センサから出力される出力信号の一周期の時間は、エンジンオイル５３に不純物が混入されることにより長くなるため、出力信号からエンジンオイルの液質の変化も検出することができるものである。
【００３６】
なお、上記本発明の一実施の形態における液位センサにおいては、第２の検出電極２５で被測定液の液質を検出する構成としていたが、第２の検出電極２５の代わりにチップコンデンサ（図示せず）を設けて、このチップコンデンサ（図示せず）の容量により、被測定液の液質を規定しても、上記本発明の一実施の形態と同様の効果が得られるものである。
【００３７】
すなわち、この場合は、ＲＳフリップフロップ３９の第１の出力信号を出力がオープンコレクタ構成である第１の素子４８を介して第１の固定抵抗３１ａと第１の検出電極２２との間の中点に接続し、かつこのＲＳフリップフロップ３９の第２の出力信号を出力がオープンコレクタ構成である第２の素子４９を介して第２の固定抵抗３１ｂとチップコンデンサ（図示せず）との間の中点に接続しているため、ＲＳフリップフロップ３９からの第１の出力信号により、第１の検出電極２２が充電される時間を測定するとともに、ＲＳフリップフロップ３９からの第２の出力信号により、チップコンデンサ（図示せず）が充電される時間を測定することになり、これにより、チップコンデンサ（図示せず）で被測定液の液質を規定し、かつ第１の検出電極２２で被測定液の液位を測定することができるため、外部に大がかりな演算装置を設けなくても、容易に液位を検出することができるものである。
【産業上の利用可能性】
【００３８】
本発明に係る液位センサは、液位を検出するために外部に大がかりな演算装置を設けることなく、容易に液位を検出することができるという効果を有するものであり、特に自動車、建築機械、航空機等のエンジンオイル、ギアオイル、トルコンオイル、ＣＶＴオイル、ブレーキオイル等、種々のオイルの液位を検出する液位センサとして有用となるものである。
【図面の簡単な説明】
【００３９】
【図１】本発明の一実施の形態における液位センサの斜視図
【図２】同液位センサの側断面図
【図３】同液位センサにおける検出素子の上面図
【図４】同液位センサにおける検出素子と回路基板とを接続する状態を示す側断面図
【図５】同液位センサの回路図
【図６】同液位センサをオイルパンに浸漬した状態を示す側断面図
【図７】同液位センサにおけるＲＳフリップフロップが動作する状態を示す図
【図８】同液位センサが動作する状態を示す図
【図９】従来の液位センサにおける検出素子の上面図
【符号の説明】
【００４０】
２２  第１の検出電極
２５  第２の検出電極
３１ａ  第１の固定抵抗
３１ｂ  第２の固定抵抗
３５  第２の電位
３６  第１の電位
３７  第１の比較手段
３８  第２の比較手段
３９  ＲＳフリップフロップ
４８  第１の素子
４９  第２の素子
【図１】
2009092629.tif 000006
【図２】
2009092629.tif 000007
【図３】
2009092629.tif 000008
【図４】
2009092629.tif 000009
【図５】
2009092629.tif 000010
【図６】
2009092629.tif 000011
【図７】
2009092629.tif 000012
【図８】
2009092629.tif 000013
【図９】
2009092629.tif 000014